(57)【要約】【課題】【解決手段】  本発明は、運転中であるか、トイレに行けないような状況であるときに、車両のような狭い空間において、小便の噴出方向を考慮して充分な長さを確保しながらも、使用する前には折り畳んで携帯し易く、小さなパック状にすることのできる、使い捨て子供用小便器の形状を提供する。不透水性の防水コーティングが施された板紙と吸収体とで積層されている使い捨て携帯用小便器において、小便を収容できる内部空間を有するように、便器後側板と便器下板とでなる長方形の板部材の端から延長された小便漏洩防止壁を立て、取り囲むように形成した便器本体と、前記小便がよく吸収されるようにその内部空間の後側板と下板とに装着された吸収体とを含み、前記便器本体の後側板と下板とが互いに直角になるように折り畳まれることを特徴とする。【選択図】  図１
2007520238.tif 000002
【特許請求の範囲】
【請求項１】
不透水性の防水コーティングが施された板紙に吸収体を装着させた子供用携帯小便器であって、
小便を収容可能な内部空間を有するように、前記小便器の便器後側板と便器下板とを有する長形板の端部から、小便漏洩防止壁を横方向に延長させるとともに起たせた小便器本体と、
前記小便の全てが吸収されるように、前記内部空間の前記便器後側板と前記便器下板とに装着された吸収体と、
を備え、
前記便器本体の前記便器後側板と前記便器下板とが接する部分の角度は、ほぼ９０度以下であることを特徴とする子供用携帯小便器。
【請求項２】
前記便器本体の前記小便漏洩防止壁は、前記便器後側板と前記便器下板とを有する前記長形板のすべての端部から延長されて起てられていることを特徴とする請求項１に記載の子供用携帯小便器。
【請求項３】
前記便器本体の前記便器後側板と前記便器下板とが互いに垂直に接していることを特徴とする請求項１に記載の子供用携帯小便器。
【請求項４】
前記便器本体の内面が小便をする人に向けて曲げられて凹状態となるように、前記小便漏洩防止壁の一部が内側に折り込まれていることを特徴とする請求項１に記載の子供用携帯小便器。
【請求項５】
前記便器本体の内面の長手方向に形成された縦中心線に沿って小便が流れるように、折曲線が形成されていることを特徴とする請求項１に記載の子供用携帯小便器。
【請求項６】
パック状の前記携帯小便器を広げれば、使用状態の小便器の形状になるように構成されていることを特徴とする請求項１に記載の子供用携帯小便器。
【請求項７】
排尿後に前記便器本体を内側に折り重ね可能とされており、前記便器本体が折り重ねられた後にパック状になることを特徴とする請求項１に記載の子供用携帯小便器。
【請求項８】
前記便器本体が折り曲げられているときにおいて、前記パック状の携帯小便器の長手方向側の長さが、前記便器本体を広げたときの長手方向側の長さの半分以下に縮小されていることを特徴とする請求項６または請求項７に記載の子供用携帯小便器。
【請求項９】
開口部の端面の外側に突出した結合部を備えたごみ袋形状の袋が前記便器本体の裏面に装着されており、前記袋を裏返して使用済みの前記パック状の携帯用小便器を手で取り扱い可能とできることを特徴とする請求項１に記載の子供用携帯小便器。
【請求項１０】
前記便器本体の前記便器下板面に装着された前記吸収体の厚さは、前記便器の後側板面に装着された吸収体の厚さの少なくとも２倍以上であることを特徴とする請求項１に記載の子供用携帯小便器。
【請求項１１】
前記吸収体には、さらに、防臭剤と殺菌剤とが含まれていることを特徴とする請求項１に記載の子供用携帯小便器。
【発明の詳細な説明】
【技術分野】
【０００１】
本発明は、不透水性の防水コーティングされた板紙に、吸収体が装着された使い捨て携帯小便器に関し、より詳細には、トイレ施設のない野外や、渋滞の激しいときに車両内で簡便に使用できるような子供用携帯小便器の構造に関する。
【背景技術】
【０００２】
祭日や休暇シーズン中に、車両で長距離を移動するとき、渋滞の激しい所で長時間トイレへ行けない場合における用便の処理は深刻な問題である。特に、子供に対しては、長期間小便を堪えるように要求するということはほぼ不可能に近い、急な排尿の処理の必要性が切望されている。
【０００３】
このため、近年、高分子化合物でなる吸収体を用いた携帯小便器が提案されているが、これらの小便器の入り口は小便の方向が考慮されていない形態となっている。
【０００４】
一般に、小便の噴出方向は、左上から右下、あるいは右上から左下、すなわち、対角線の方向に小便をするとき、意図していない方向に噴出し周りに小便が跳ねたりすることがある。もっとも、過度に小便器の長さを増やすと、携帯しにくくなり、尚、使用後それを処理することが容易ではない。
【０００５】
携帯便器に関する登録考案（登録番号第２０−０２５９０８号）が韓国登録実用新案公報に開示されている。この登録考案は、用便を収容できる内部空間を有するように、上部が開放された袋の中に吸収層を装着させ、袋開閉手段を含んでいるものであって、大小便を同時に処理できるようになっている。しかし、小便の噴出方向は全く考慮されていないため、車両のような狭い空間で使用するときや、体を上手くコントロールできない子供が使用する際は、使用中、周りに漏洩してしまうという問題点があった。
【０００６】
また、使い捨て体液処理用品に関する特許出願が韓国公開特許公報（公開番号、特２００１−００５１７７３号）に開示されている。この出願発明は、身体の適合部位によく合って、容易に外れないようにパッドの装着されたオムツを改善したものであるが、用便するとき、人体に直接着用したり、外したりしなければならないという負担があった。したがって、乳児用として使用されるオムツを、子供や、大人にそのまま使用することは無理である。
【発明の開示】
【発明が解決しようとする課題】
【０００７】
上記問題点を解決するための本発明の目的は、運転中やトイレへ行きにくい状況で使用するためのものであって、自動車のような狭い空間で小便をするとき、小さなパック状の小便器を広げれば、小便の噴出方向の考慮された充分な長さが確保されて小便が周りに跳ねないようにする子供用携帯小便器を提供することにある。
【課題を解決するための手段】
【０００８】
このため、本発明は、使用時に長手方向に充分に広げられるように折り畳まれる板紙構造を有することを特徴とする。本発明によれば、小便器を広げると小便器の後側板の長手方向側のサイズが、使用前のパック状の小便器の長さに比べ少なくても２倍以上長くすることができ、使用前には折り畳むことで小便器の携帯が容易となり、使用の際には、不規則的な小便の方向に対応できるようになる。
【０００９】
また、本発明の他の目的は、使用済みの小便器の保管処理が簡便になるように、収集ビニール袋に裏返して収納できるような構造を提供し、尚、簡単で安価な方法で本発明による携帯小便器を提供することにある。
【００１０】
上記技術的な課題を達成するために、本発明は、不透水性の防水コーティングされた板紙に吸収体を装着させた子供用携帯小便器において、小便を収容できる内部空間を有するように、便器後側板と便器下板とでなる長形板の端部から側面に延長された小便漏洩防止壁を起たせた便器本体と、前記小便がよく吸収されるようにその内部空間の後側板と下板とに装着された吸収体とを含み、前記便器本体の後側板と下板とが接する角度がほぼ９０度以下であることを特徴とする。また、前記便器本体の前記小便漏洩防止壁は、便器の後側板と下板とでなる長形板の全ての端部から延長されて立て上げられることが好ましく、前記便器本体の後側板と下板とが互いに垂直に接して底に支持可能な形状であることがより好適である。
【００１１】
より好ましくは、前記小便漏洩防止壁の一部を内側に折り曲げて前記便器本体の内面が小便中の人がいる方向に折り曲げられて凹んだ形状になるようにする。
【００１２】
また、前記便器本体の内面の長手方向に形成された縦中心線に沿って小便が流れるように折曲線を形成することが好ましく、小便をする前に前記便器本体を製作したり、小便を出した後前記便器本体を内側に折り重ねられるようにし、前記便器本体を広げる前、或いは前記便器本体が折り重ねられてからは、パック状になることが好ましい。前記便器本体が折り曲げられているとき、前記パック状の携帯小便器の長手方向側の長さが、前記便器本体を広げたときの長手方向側の長さの半分以下に縮小されることが好ましく、あたかも通常のごみ袋の開口部のような形状の延長された結合部を備えた袋を前記便器本体の裏面に装着し、前記袋を裏返すことで、使用済みの前記パック状の携帯小便器を処理できるようにしたことを特徴とする。
【００１３】
更に好ましくは、前記便器本体の前記便器下板面に装着された前記吸収体の厚さは、前記便器後側板面に装着された吸収体の厚さの少なくとも２倍以上であることを特徴とし、前記吸収体に防臭剤および抗菌剤が更に含まれることを特徴とする。
【発明を実施するための最良の形態】
【００１４】
以下、添付した図面を参照して本発明の実施例を詳しく説明する。図１は、本発明による一実施例の携帯小便器の展開図であって、小便器を製作する方法と、小便器後側板と下板とに装着された吸収体の積層構造とを示すII−II線に沿う断面図である。
【００１５】
図１に示された板１０、２０、３０、４０、５０、６０、７０および８０は、例えば、牛乳パック材質に類似した不透水性のコーティング処理が施された厚い板紙で構成され、吸収体９０、９５は一般に紙オムツやパッドで採用されている超強力吸収ポリマーとパルプとで構成された吸収層をなす。吸収体９０は、携帯小便器の後側板１０と下板２０とに装着させるが、下板２０側には一つの吸収体９５を更に積層させたり、吸収体の厚さを２倍にして小便を充分に吸収するようにする。更に、吸収体に脱臭剤や芳香剤などを添加することが好ましい。
【００１６】
以下では、図１の展開図を参照して本発明の一実施例に従って板紙を用いた携帯小便器を折り曲げる方法を説明する。本発明の一実施例は、噴出された小便が流れる長い長方形の便器後側板１０と、これに長手方向に延長された便器下板２０と、これらの２つの板でなる長方形の板の端部から延長された漏洩防止壁３０、４０、５０、６０、７０、８０と、その漏洩防止壁のうち上部壁５０から羽側に延長された漏洩防止壁２１、２２と、下部壁６０から羽側に延長された漏洩防止壁２３、２４と、小便を吸収する吸収体９０、９５と、で構成されている。ここで、上部漏洩防止壁５０と下部漏洩防止壁６０とが省略される変形の実施例が可能となる。
【００１７】
まず、板紙は縦中央軸Ｃによって一定方向に長方形の形状になっており、上部漏洩防止壁５０上において縦中央軸Ｃに平行でありながらも縦中央軸Ｃから等間隔に離隔している２つの折曲線１、２に対し、上部漏洩防止壁から羽側に延長された漏洩防止壁２１、２２を内側に折って持ち上げる。この際、下部漏洩防止壁６０も同様の方法で折曲線６、７に対し、下部漏洩防止壁から羽側に延長された漏洩防止壁２３、２４を折って持ち上げる。
【００１８】
その後、前記縦中央軸Ｃに対して垂直であり、便器後側板の幅の全体を横切る横中央軸Ｉに平行であって、横中央軸Ｉから等間隔に離隔している上部漏洩防止壁５０側の折曲線３と、下部漏洩防止壁６０側の折曲線８とに対し、上部漏洩防止壁５０と下部漏洩防止壁６０とをそれぞれ折って持ち上げる。
【００１９】
次いで、便器後側板１０において、縦中央軸Ｃから等間隔に離隔している２つの折曲線４、５に対し、側面漏洩防止壁３０、４０をそれぞれ折り曲げて持ち上げ、便器下板２０において、縦中央軸Ｃから等間隔に離隔している２つの折曲線９、１１に対し、下板の側面漏洩防止壁７０、８０をそれぞれ折って持ち上げる。
【００２０】
上部漏洩防止壁５０の羽側にある漏洩防止壁２１、２２からそれぞれ延長された２つのタブ１７、１８の外面を、便器後側板１０の側面漏洩防止壁３０、４０の上部側の傾いた縁部の側線に接着させる。この際、接着手段としては様々なものが使用され得る。 
【００２１】
また、下部漏洩防止壁の羽側にある漏洩防止壁２３、２４からそれぞれ延長された２つのタブ１２、１３の外面を、便器下板２０の側面漏洩防止壁７０、８０の下部側の傾いた縁部の側線に接着させる。この際、接着手段としては様々なものを使用され得る。
【００２２】
次いで、前記横中央軸Ｉから等間隔に隔離している便器下板２０側の折曲線１４に対して便器下板２０を折り曲げて持ち上げ、便器下板２０の側面漏洩防止壁７０、８０からそれぞれ延長された２つのタブ１５、１６の外面を便器後側板１０の側面漏洩防止壁３０、４０の下部側の傾いた縁部の側線に接着させることで、携帯小便器が完成する。
【００２３】
これに加え、小便器を内側に曲げられるような形状にし、小便がよく受け取られるように、それぞれの漏洩防止壁３０、４０、５０、６０上の折曲線２５、２６、２７、２８、２９、３１を外側に若干折り曲げ、小便の流れを形成させるように縦中央軸Ｃに対して便器後側板１０を若干折って持ち上げることが好ましい。
【００２４】
説明の便宜のために、図１で用いられた参照番号は、すべての図面において同じ構成要素に対しては同じ参照番号を付した。
【００２５】
図２に完成された小便器が示されている。同図の携帯小便器の男女別の使用状態が示された図６のように、男性用と女性用とでその使用方法がそれぞれ異なる。
【００２６】
男性と女性との身体的構造の相違により、男性または男の子の場合、図６（Ａ）に示すように、携帯小便器１００の便器下板２０を底にさせて便器後側板１０を壁にさせ、直立させて用いることが好ましい。女性または女の子の場合は、図６（Ｂ）に示すように、 携帯小便器１００の便器後側板１０を底にさせて便器下板２０を壁にさせ、倒して使用することが好ましい。これは、男女それぞれの水洗式小便器の形状が異なっていることに着目した結果である。
【００２７】
図２は、図１の展開図によって製作された携帯小便器の斜視図であり、図３は、図２の携帯小便器を一実施例によって使用前のパック状に、使用後の折り畳んだ形にした様子を示した概路図であり、図４は、図２の携帯小便器を、他の実施例によって使用前のパック状に、使用後の折り畳んだ形にした様子を示した概路図である。図３および図４は、ただ、その折り方を相違にしたものであって、同じ参照番号によって図３を基準に説明すると、図４の折り方は、これを以って充分に理解できる。
【００２８】
図３または図４では、図２の使用前に携帯小便器を作ったり、使用済みの携帯小便器をパック状に折り重ねる様子を（Ａ）−（Ｂ）−（Ｃ）−（Ｄ）の順に示した。小便器を使用する前に、図３（Ｄ）に示された小便パックを小便器に広げる方法は、後述する折り重ねる方法の逆順として理解すれば良く、これに対する説明は省略する。
【００２９】
図２、図３（Ａ）を参照すると、小便を吸収した吸収体の装着された携帯小便器の上部漏洩防止壁５０の羽側の側面漏洩防止壁２１、２２を折曲線１、２に対し内側に完全に折り曲げ、上部漏洩防止壁５０を内側に完全に１８０゜に折り重ねる。図４の他の実施例において、図４（Ａ）を参照すると、側面漏洩防止壁３０、４０を左右に広げながら上部漏洩防止壁５０を内側に折り重ね、折曲線１、２に対し折り曲げられた側面漏洩防止壁３０、４０をそれぞれ内側に折り重ねる。折り曲げられた様子が図４（Ｂ）に示されている。この折り曲げられた様子は、図３（Ｂ）の上部の折り曲げられた様子が異なっている。
【００３０】
下部漏洩防止壁６０の羽側の側面漏洩防止壁２３、２４と、便器下板２０の側面漏洩防止壁７０、８０とのそれぞれを折曲線６、７および折曲線９、１１に対して内側に完全に折り曲げ、下部漏洩防止壁６０と便器下板２０とのそれぞれを折曲線８および折曲線１４に対して内側に完全に１８０゜折り重ねる。図４の他の実施例は、下部漏洩防止壁６０の羽側の側面漏洩防止壁２３、２４のそれぞれを折曲線ｃ'、ｄ'に対して折り重ね、折り曲げられた下部漏洩防止壁６０を内側に完全に折り重ねることを除いては、図３の実施例と同じである。
【００３１】
上部漏洩防止壁５０と便器下板２０とを折り重ねるとき、これと同時に、折曲線４、５に対し側面漏洩防止壁３０、４０のそれぞれを内側に完全に１８０゜折り重ねる。前述された折り曲げられた様子が、図３（Ｂ）に示されている。図３（Ｂ）で折り曲げられた便器下板の端部に位置した折曲線４２に対し、折り曲げられた板４３を内側に完全に１８０゜折り重ね、この折り曲げられた様子が図３（Ｃ）に示されている。図３（Ｃ）において、折り曲げられた板４３の端部に位置した折曲線４５に対し、折り曲げられた上部漏洩防止壁に該当する折り曲げられた板４３を内側に完全に１８０゜折り重ねる。完全に重ねられて完成された小便パックの様子が図３（Ｄ）において４７として示されている。このときの長手方向側の長さｌが使用前に広げられた小便器の長手方向側の長さＬに比べて半分以下に縮小する。このとき、上述された折り曲げる過程を容易にするために、携帯小便器にそれぞれ折曲線を予め形成させて置く。
【００３２】
図５は、図３のパックの裏面に折り曲げておいた収集ビニール袋の装着の様子と、広げておいた収集ビニール袋の様子とを示した概路図である。本発明の一実施例では、使用済みの小便パックを臨時に保管するために、収集ビニール袋９１をパックの裏面に装着した。外面開口部に突出した結合部９２を備えたごみ袋形状の収集ビニール袋が取り付けられていて、ビニール袋を覆しパックを被せるとき、前記結合部９２を縛り付けて密封させる。図５の右側にある収集ビニール袋９１の一面を９等分して形成させた折曲線ａ、ｂ、ｃ、ｄに対し、前記収集ビニール袋９１を折り曲げると、図５の左側にある小さなパックに装着可能な収集ビニール袋９１になる。
【００３３】
以上、本発明による携帯小便器を使用すれば、運転中やトイレに行くことが困難な状況下で、車両のような狭い空間内において小便の噴出方向を考慮して充分な噴出の長さも確保しながらも、使用前または使用後において、折り重ねられた小さなパック状にすることができ、携帯および処理が容易となる。
【００３４】
また、使用済みの小便器を裏返し収集ビニール袋に収納することができるので、保管か簡便で、処理が容易であるだけでなく、板紙を用いることで簡単、且つ安価である。
【００３５】
本発明は、上記実施例に限定されるものではなく、本発明の基本思想を逸脱しない範囲内で、様々な形態に変形して実施することができることも勿論可能である。
【図面の簡単な説明】
【００３６】
【図１】本発明による一実施例の携帯小便器の展開図である。
【図２】図１の展開図によって製作された携帯小便器の斜視図である。
【図３】図２の携帯小便器を一実施例に従って使用前のパック状に作った様子や、使用後の折り重ねた様子を示す概略図である。
【図４】図２の携帯小便器を他の実施例に従って使用前のパック状に作った様子や、使用後の折り重ねた様子を示す概略図である。
【図５】図３または図４のパックの裏面に収集ビニール袋が装着された形態を示す概略図である。
【図６】図２の携帯小便器の男女別の使用状態を示す断面図である。
【符号の説明】
【００３７】
１０…便器後側板
１２、１５…タブ
１４…折曲線
２０…便器下板
２１、２３、３０…側面漏洩防止壁
２５、４２…折曲線
４３…折り曲げられた板
４５…折曲線
５０…上部漏洩防止壁
６０…下部漏洩防止壁
７０…側面漏洩防止壁
９０…吸収体
９１…収集ビニール袋
９２…結合部
９５…吸収体
１００…携帯小便器
【図１】
2007520238.tif 000003
【図２】
2007520238.tif 000004
【図３】
2007520238.tif 000005
【図４】
2007520238.tif 000006
【図５】
2007520238.tif 000007
【図６】
2007520238.tif 000008
【国際調査報告】
2007520238.tif 000009
2007520238.tif 000010